(57)【特許請求の範囲】
【請求項１】
筒状体とその中に摺動自在に挿入される中箱とからなり、中箱は側面に傾斜面を有し、筒状体は中箱の傾斜面を押圧可能な揺動片を有しており、揺動片で傾斜面を押圧することで中箱が筒状体に対してスライドして突き出すように両者が組み合わされ、中箱における突き出る部分に振出し口が形成されていることを特徴とする振出しカートン。
【請求項２】
中箱を筒状体から突き出したときに振出し口が露出する所定位置で両者が係止するストッパー機構が設けられていることを特徴とする請求項１に記載の振出しカートン。
【発明の詳細な説明】
【技術分野】
【０００１】
本発明は、板紙からなるカートンの技術分野に属し、詳しくは、粒状の菓子類を収納して販売する際に好適に用いられる振出しカートンに関するものである。
【背景技術】
【０００２】
従来より、粒状の菓子類を収納するカートンとして、前後若しくは一方が開口した筒状体とその中に摺動自在に挿入され中箱とからなり、筒状体に対して中箱をスライドさせることで中箱の振出し口を露出させ、その振出し口から粒状の内容物を取り出すタイプのいわゆる振出しカートンが知られている。
【０００３】
【特許文献１】特開２０００−８５７５０号公報
【特許文献２】特開２００１−２７８２６６号公報
【発明の開示】
【発明が解決しようとする課題】
【０００４】
上記したタイプの振出しカートンは、ポケット等に入れて持ち運びでき、内容物を食べるときには振出し口を露出させて適量の内容物を取り出し、再度、振出し口を元の閉鎖状態に戻すことができることから、粒状の菓子類を入れる携帯容器として好適である。しかしながら、振出し口を露出させるには、片手で筒状体の胴部を把持した後、もう一方の手で中箱を筒状体に対してスライドさせる動作が必要である。このため、片手だけでワンタッチで開けることができず、もう一方の手が塞がっているような場合には内容物を取り出すのが面倒であった。
【０００５】
本発明は、このような問題点に鑑みてなされたものであり、その目的とするところは、片手だけを用いて簡単な操作で振出し口を開けることができる振出しカートンを提供することにある。
【課題を解決するための手段】
【０００６】
上記の目的を達成するため、本発明の振出しカートンは、筒状体とその中に摺動自在に挿入される中箱とからなり、中箱は側面に傾斜面を有し、筒状体は中箱の傾斜面を押圧可能な揺動片を有しており、揺動片で傾斜面を押圧することで中箱が筒状体に対してスライドして突き出すように両者が組み合わされ、中箱における突き出る部分に振出し口が形成されていることを特徴としている。
【０００７】
本発明の振出しカートンは、側面から揺動片を押し込むことにより、中箱はその傾斜面が押されることで筒状体の中をスライドして筒状体から突き出ることになり、その突き出た部分に振出し口が露出する。
【０００８】
このような振出しカートンにおいて、中箱を筒状体から突き出したときに振出し口が露出する所定位置で両者が係止するストッパー機構が設けられているとよい。この構成により、振出し口が露出する分だけ中箱を筒状体から引き出すことができる。
【発明の効果】
【０００９】
本発明に係る振出しカートンによれば、片手で持ったままその親指で筒状体の揺動片を押すだけで、中箱がスライドして振出し口が露出するので、片手だけを用いて簡単な操作で振出し口を開けて内容物を取り出すことができる。
【発明を実施するための最良の形態】
【００１０】
次に、図面を参照しながら、本発明に係る振出しカートンの好適な実施形態について詳細に説明する。
【００１１】
図１は本発明の実施形態に係る振出しカートンを示す斜視図、図２は図１の振出しカートンを構成する筒状体を示す斜視図、図３は同じく中箱を示す斜視図であり、この振出しカートンは、前方が開口した偏平な角筒状の筒状体１０と、この筒状体１０内の中に摺動自在に挿入される中箱２０とからなる。
【００１２】
図４は図２の筒状体１０を組み立てるブランクの展開図である。このブランクは板紙を図示の形状に打ち抜いたもので、底面外側パネル１１、側面パネル１２、上面外側パネル１３、側面パネル１４、底面内側パネル１５、側面内側パネル１６及び上面内側パネル１７が折線を介して順次連設した形状をしている。図の左が前側になっており、底面外側パネル１１、側面パネル１２、上面外側パネル１３及び側面パネル１４の後方には、それぞれ端面内側パネル１１ａ、折込みフラップ１２ａ、端面外側パネル１３ａ、折込みフラップ１４ａが折線を介して連設している。また、側面パネル１４の前方には係止片１４ｂが折線を介して連設されている。
【００１３】
図４のブランクにおいて、底面外側パネル１１、側面パネル１２、上面外側パネル１３及び側面パネル１４が組立時に外側になる部位であり、中央の側面パネル１２からその両側の底面外側パネル１１及び上面外側パネル１３に跨がってそれらの前方寄りのところに前方に向かって両斜辺が広がる台形状の窓ａが形成されている。また、底面内側パネル１５、側面内側パネル１６及び上面内側パネル１７が組立時に内側になる部位であり、中央の側面内側パネル１６からその両側の底面内側パネル１５及び上面内側パネル１７に跨がって、外側の窓ａより大きなサイズの開口ｂが形成され、その開口ｂの中に突き出る状態で扇状の揺動片Ａが設けられている。
【００１４】
揺動片Ａは、側面内側パネル１６の一部からなる押圧部分１６ａとその両サイドに連設する三角形状のガイド部分１５ａ，１７ａとからなり、ガイド部分１５ａ，１７ａはそれぞれ底面内側パネル１５、上面内側パネル１７の一部分で構成されている。揺動片Ａの押圧部分１６ａは、後方を折線で区画され前方は開口ｂに突き出る形状で、その先端には接触小片１６ｂが突設されており、後側の折線をヒンジとして曲げることができるようになっている。また、ガイド部分１５ａ，１７ａは、押圧部分１６ａのヒンジ側を長い斜辺とする三角形状である。そして、開口ｂは、このような形状の揺動片Ａを収納する図示の如き形状であり、ガイド部分１５ａ，１７ａの長い方の斜辺に対向する部位が三角状に空いており、ブランクを組み立てた状態では、揺動片Ａを押し下げたときにガイド部分１５ａ，１７ａが逃げることができるようになっている。
【００１５】
図４のブランクを組み立てるには、側面パネル１４に対して底面内側パネル１５、側面内側パネル１６、上面内側パネル１７を折り曲げて角筒を形成し、その角筒を内側に包み込むようにして上面外側パネル１３、側面パネル１２、底面外側パネル１１を折り曲げ、底面外側パネル１１の内面を底面内側パネル１５の外面に貼り合わせ、全体を一つの角筒状とする。このようにして二重の角筒を形成した後、折込みフラップ１２ａ，１４ａを折り込んでから、端面内側パネル１１ａ、端面外側パネル１３ａを順次重ねて貼り合わせる。これにより図２に示す筒状体１０が形成される。
【００１６】
図５は図３の中箱２０を組み立てるブランクの展開図である。このブランクも板紙を図示の形状に打ち抜いたもので、底面パネル２１の上辺側に側面パネル２２、上面パネル２３及び接着パネル２４が折線を介して順次連設され、底面パネル２１の下辺側に側面パネル２５、上面内側パネル２６及び補助パネル２７が折線を介して順次連設した形状をしている。図の左側が前側になっており、底面パネル２１、側面パネル２２、上面パネル２３及び側面パネル２５の前方には、それぞれ端面内側パネル２１ａ、折込みフラップ２２ａ、端面外側パネル２３ａ、折込みフラップ２５ａが折線を介して連設されている。また、上面パネル２３の後方には蓋パネル２３ｂと差込み片２３ｃが折線を介して順次連設されており、側面パネル２２と側面パネル２５の後方にはそれぞれ折込みフラップ２２ｂ、折込みフラップ２５ｂが連設されている。また、上面パネル２３に連設する接着パネル２４は、前側が切断されて短くなっている。
【００１７】
このブランクでは、図示のように、側面パネル２２からその両側の底面パネル２１及び上面パネル２３に跨がって、側面パネル２２の中央部とそれから両側に突き出る三角状部とからなる大きな開口ｃが形成され、その開口ｃの中に突き出る状態で斜面形成片２８が設けられている。この斜面形成片２８は、側面パネル２２の一部からなり、開口ｃの三角状部における後側の斜辺とほぼ同じ長さで、前側に形成された折線のところで折曲げ可能であり、その後側の先端には二股状の係止突起２８ａが突設されている。そして、側面パネル２２の前方寄りの残ったところ、すなわち斜面形成片２８の前側に円形状の振出し口αが形成されている。
【００１８】
上面内側パネル２６は、ブランクの組立時に上面パネル２３の内側に位置する部位であり、上面パネル２３の開口ｃの三角状部における後側の斜辺とほぼ合致する傾斜辺とその先端から前方に真っ直ぐ延びる辺とで大きく切り欠いた形状をしている。また、上面内側パネル２６に連設する補助パネル２７は、ブランクの組立時に側面パネル２２の内側に重なる部位であり、側面パネル２２の後方寄りの残ったところに対応する接着部分とその前方に折線を介して連設する斜面形成片２９とからなる。この斜面形成片２９は、上面パネル２３の開口ｃの三角状部における後側の斜辺とほぼ同じ長さで、後側の折線のところで折曲げ可能であり、その前側の先端中央には係止突起２９ａが突設されている。
【００１９】
図５のブランクを組み立てるには、底面パネル２１に対して側面パネル２５、上面内側パネル２６及び補助パネル２７を折り曲げて角筒状とし、さらに側面パネル２２を折り曲げてその後方寄りに残った部位と補助パネル２７の後側の部位とを貼り合わせる。このように側面パネル２２と側面パネル２７とを貼りあわせて角筒を形成した後、上面パネル２３及び接着パネル２４を折り曲げ、接着パネル２４の内面を側面パネル２５の外面に貼り合わせて全体を一つの角筒状とする。次いで、前側の斜面形成片２８と後側の斜面形成片２９をそれらの折線のところで中側に向けて折り曲げ、先端にある二股の係止突起２８ａの真ん中に係止突起２９ａ嵌合して互いに係合させることで一方の側面にＶ字状の斜面を形成する。
【００２０】
このようにして角筒の側面にＶ字状の斜面を形成した後、折込みフラップ２２ａ，２５ａを折り込んでから、端面内側パネル２１ａ、端面外側パネル２３ａを順次重ねて貼り合わせる。この前側を閉じた状態の中箱２０を準備し、閉じていない後側から内容物を投入して蓋をする。すなわち、折込みフラップ２２ｂ，２５ｂを折り込んでから、差込み片２３ｃを底面パネル２１の裏側に差込みつつ蓋パネル２３ｂを閉じる。
【００２１】
組み立てられた中箱２０は、図６に示すように、振出し口αとは反対側の側面パネル２５の上に前側が短い寸法の接着パネル２４が重なり、前方寄りのところに段差ｄが形成される。なお、図６は図３において矢印方向に見た図面をその一部を破断した状態で示す斜視図である。
【００２２】
ここで、筒状体１０と中箱２０のサイズは、両者の間に余分な隙間ができないように、かつ中箱２０が筒状体１０に対してスムースに摺動できるように設計されている。
【００２３】
上記のようにして筒状体１０と中箱２０をそれぞれ組み立てた後、中箱２０を筒状体１０の中に挿入する。このとき、筒状体１０の空いた前方を入口として中箱２０をその後側から差し込むようにして入れるが、側面パネル１４の前方にある係止片１４ｂを内側に折り返した状態としてから差し込むようにする。このようにして最後まで押し込んで挿入することで中箱２０を筒状体１０によって包囲した後、外周全体をフィルムで包装して販売形態とされる。
【００２４】
消費者が中身を取り出すときは、外装フィルムを剥がした後、カートン全体を片手で把持し、その持った手の親指でカートンの側面から揺動片Ａを押すようにする。すると、揺動片Ａの押圧部分１６ａが後側の折線をヒンジとして曲がることで中に入り込み、その先端にある接触小片１６ｂが前側の斜面形成片２８を押圧するので、それに伴って中箱２０が筒状体１０の中を前方に向けてスライドして筒状体１０から突き出る。このとき、中箱２０の側面はＶ字状に凹んでいるので、揺動片Ａをカートンの中へ押し込むことができる。そして、揺動片Ａのガイド部分１５ａ，１７ａが開口ｂの長い方の斜辺に当接するところまで押すと、筒状体１０から突き出た中箱２０の部分に振出し口αが露出する。このように振出し口αが露出させた後、中箱２０を筒状体１０からさらに引き出そうとしても、中箱２０の段差ｄが筒状体１０の係止片１４ｂに引っ掛かるため、それ以上は引き出すことができない。すなわち、筒状体１０の側面パネル１４の先端にある係止片１４ｂと中箱２０の側面パネル２５にある段差ｄとがストッパー機構を形成している。
【００２５】
以上、本発明の実施形態について詳細に説明してきたが、本発明による振出しカートンは、上記した実施形態に何ら限定されるものではなく、本発明の趣旨を逸脱しない範囲において種々の変更が可能であることは当然のことである。
【００２６】
例えば、上記の実施形態では、筒状体の側面先端に折返し片を設け、中箱にはそれに引っ掛かる段差を設けたが、このようなストッパー機構は、上記の例に限るものではなく、設計が可能でありさえすれば、任意の箇所に設ければよいものである。
【図面の簡単な説明】
【００２７】
【図１】本発明の実施形態に係る振出しカートンを示す斜視図である。
【図２】図１の振出しカートンを構成する筒状体を示す斜視図である。
【図３】図１の振出しカートンを構成する中箱を示す斜視図である。
【図４】図２の筒状体を組み立てるブランクの展開図である。
【図５】図３の中箱を組み立てるブランクの展開図である。
【図６】図３において矢印方向に見た状態を示す一部破断斜視図である。
【図７】図１に示す振出しカートンをその振出し口を露出させた状態を示す斜視図である。
【符号の説明】
【００２８】
１０  筒状体
１１  底面外側パネル
１１ａ  端面内側パネル
１２  側面パネル
１２ａ  折込みフラップ
１３  上面外側パネル
１３ａ  端面外側パネル
１４  側面パネル
１４ａ  折込みフラップ
１４ｂ  係止片
１５  底面内側パネル
１５ａ  ガイド部分
１６  側面内側パネル
１６ａ  押圧部分
１７  上面内側パネル
１７ａ  ガイド部分
２０  中箱
２１  底面パネル
２１ａ  端面内側パネル
２２  側面パネル
２２ａ，２２ｂ  折込みフラップ
２３  上面パネル
２３ａ  端面外側パネル
２３ｂ  蓋パネル
２３ｃ  差込み片
２４  接着パネル
２５  側面パネル
２５ａ，２５ｂ  折込みフラップ
２６  上面内側パネル
２７  補助パネル
２８，２９  斜面形成片
２８ａ  係止突起
２９  斜面形成片
２９ａ  係止突起
Ａ  可動片
ａ  窓
ｂ，ｃ  開口
ｄ  段差
α  振出し口
【図１】
0005076978.tif 000002
【図２】
0005076978.tif 000003
【図３】
0005076978.tif 000004
【図４】
0005076978.tif 000005
【図５】
0005076978.tif 000006
【図６】
0005076978.tif 000007
【図７】
0005076978.tif 000008